(57)【要約】      （修正有）【課題】施錠個所が判別しにくく、しかも、尚一層の防犯効果の期待できる、引き戸の施錠装置を提供する。【解決手段】窓枠の戸当り方向に障子を移動させて閉塞する引き戸において、障子ｄの戸先框３に中空方形状の装置基枠８を収設する。装置基枠８に縦動自在に係合した縦動材１５に、戸先框３の、戸当り１２との対向する部片を通じて戸当り方向に突出する鉤状の施錠片６を設ける。また、施錠片６が縦動して係離する受止片１３を戸当り１２に突設する。そして、戸先框３の屋内面側に配設した操作片１９に設けた組付け部片１９ａを、戸先框３の屋内側部片３ａ´´´の窓孔２５と装置基枠８に設けた縦長の案内長孔２０を通じて縦動材１５の組付孔２４に嵌挿して止着し、施錠時に該組付け部片１９ａが位置する、案内長孔２０の一半の、施錠片６側の端縁に、組付け部片１９ａと障子見付け方向に重なり合う切欠２６を設ける。【選択図】図１
2006336209.tif 000002
【特許請求の範囲】
【請求項１】
窓枠の戸当り方向に障子を移動させて閉塞する引き戸において、前記障子の戸先框に中空方形状の装置基枠を収設し、該装置基枠に縦動自在に係合した縦動材に、前記戸先框の、前記戸当りとの対向する部片を通じて前記戸当り方向に突出する鉤状の施錠片を設け、該施錠片が縦動して係離する受止片を前記戸当りに突設すると共に、前記戸先框の屋内面側に配設した操作片に設けた組付け部片を、前記戸先框の屋内側部片の窓孔と前記装置基枠に設けた縦長の案内長孔を通じて前記縦動材の組付孔に嵌挿して止着し、施錠時に該組付け部片が位置する、前記案内長孔の一半の、前記施錠片側の端縁に、前記組付け部片全体と障子見付け方向に重なり合う切欠を設けた、施錠装置。
【発明の詳細な説明】
【技術分野】
【０００１】
本発明は、引違いサッシや片引きサッシ等に適用する引き戸の施錠装置に関するものである。
【背景技術】
【０００２】
引違いサッシ等の引き戸を施錠するには、具体例を挙げるまでもなく、所謂クレセントを用いているのが一般で、該クレセントは障子閉塞後、障子の戸尻框の戸尻面に装置し、他の障子の戸尻框や方立側に装置した受金具に係止して施錠操作を行うものである。
【発明の開示】
【発明が解決しようとする課題】
【０００３】
前記の、クレセントを用いた施錠装置は、障子の戸尻框（アルミ型材で構成）の戸尻面に装置してあるので、ガラスパネルを通じて当該装置位置を屋外側から確認でき、従って、屋外側からガラスパネルの当該個所を部分的に破壊することにより容易に解錠状態とすることができ、この意味で、防犯上必ずしも万全とはいえない。
【０００４】
本発明は、ガラスパネルを通じて施錠位置の判別が難しく、しかも、尚一層の防犯効果の期待できる、引き戸の施錠装置を提供すべく創案したものである。
【課題を解決するための手段】
【０００５】
窓枠の戸当り方向に障子を移動させて閉塞する引き戸において、前記障子の戸先框に中空方形状の装置基枠を収設し、該装置基枠に縦動自在に係合した縦動材に、前記戸先框の、前記戸当りとの対向する部片を通じて前記戸当り方向に突出する鉤状の施錠片を設け、該施錠片が縦動して係離する受止片を前記戸当りに突設すると共に、前記戸先框の屋内面側に配設した操作片に設けた組付け部片を、前記戸先框の屋内側部片の窓孔と前記装置基枠に設けた縦長の案内長孔を通じて前記縦動材の組付孔に嵌挿して止着し、施錠時に該組付け部片が位置する、前記案内長孔の一半の、前記施錠片側の端縁に、前記組付け部片全体と障子見付け方向に重なり合う切欠を設けた構成としたものである。
【発明の効果】
【０００６】
本発明によれば、戸当りと戸先面との間で施錠状態を得るから、施錠位置を判別しにくく、防犯上好適である。
【０００７】
また、バール等によってこじ開けようとしても施錠片と受止片とが係止した状態において前記施錠片を設けた縦動材が変形し、該縦動材に組付けた操作片の組付け部片が案内長孔の切欠に係合して縦動材の縦動を規制し、従って、こじ開け操作によっても容易に解錠することのない施錠効果を提供できる。
【実施例】
【０００８】
図面は本発明に係る引き戸の施錠装置の一実施例を示し、図１は要部の縦断面図、図２は図１のｘ−ｘ線断面図、図３は施錠片の受止片からの離脱を規制する状態の断面図、図４は第二実施例の要部の縦断面図、図５は引違いサッシの略示正面図である。
【０００９】
実施例は、内外の障子ｄ´，ｄが互いに引違う所謂引違いサッシＡに本発明を適用したもので、実施例の引違いサッシＡは、内障子ｄ´の召合せ框１´にクレセント２を、外障子ｄの召合せ框に受け金を設け、障子閉塞時にクレセント２を受け金に係止して内外障子ｄ´，ｄの召合せ框関係において施錠状態を得る一方、各障子ｄ´，ｄの戸先框３´，３と窓枠ｗの縦枠４´，４との関係においても施錠状態を得、すなわち本発明を用いること（前記クレセントによる施錠装置と併用すること）によって尚一層の防犯効果を期待するようにしたものである。
【００１０】
なお、本発明は片引きサッシにも適用できることは勿論である。
【００１１】
以下、外障子ｄの戸先框３とこれに対応する縦枠４との関係での実施例装置を説明し、内障子ｄ´のと先框３´とこれに対応する縦枠４´との関係の実施例装置は各部材が前記戸先框３等側と対称的な形態を成す点を除く残余の点がほぼ同様の構成を採るので、その説明を省略する。
【００１２】
戸先框３（外障子ｄの）は、横断面方形状の中空主体３ａと該中空主体３ａの内外の部片３ａ´，３ａ´´の屋内外方向の両端にそれぞれ相対して突設した屋内外のひれ部片３ｂ，３ｂ、３ｃ，３ｃを備え、屋内外の内ひれ部片３ｂ，３ｂと前記内部片３ａ´で構成する係合溝にガラスパネル７を係合して該パネル７と組合わせ、屋内外の外ひれ部片３ｃ，３ｃは障子閉塞時に前記縦枠４の屋内外の部片４ａ，４ａ間に係合するようにして図示省略したシール材と共に水気密性を高めるようにしたものである。
【００１３】
この戸先框３の中空主体３ａの縦方向の中間部には、主体３ａの前記外部片３ａ´´において縦長窓口１１を設け、この窓口を通じて縦長方形中空主体８Ａに上下の取付部片８´，８´を突設した装置基枠８の前記中空主体８ａを係合して戸先框中空主体３ａの中間部に装置基枠８を配置し、装置基枠８は、中空主体３ａの前記外部片３ａ´´に外側から重ね合わせた取付部片８´を該取付部片８´の外側に更に重ね合せた補強材２３の取付部片２３ａと共に前記外部片３ａ´´にねじ９で固着したものである。
【００１４】
装置基枠８の縦長方形中空主体８Ａには縦動材１５とコイルばね１８を収設し、縦動材１５が、該縦動材１５と前記基枠主体８の底部片（下部片）（すなわち、戸先框３側）間に介在させた前記コイルばね１８によって前記中空主体８Ａの上端側に常時付勢されて偏するように配してある。この縦動材１５にはＬ字形（鉤状）の施錠片６を突設し、該施錠片６を装置基枠８の外側部片８ｂ（戸先框３の外部片３ａ´´）に設け、しかも、戸先框３の外部片３ａ´´に設けた前記縦長窓口１１と部分的に一致させて設けた縦長窓孔１１Ａを通じて戸先框３の外部である前記外ひれ部片３ｃ，３ｃ間に導出してある。
【００１５】
施錠片６は、前記の通り、Ｌ時形体で成り、前記縦動材１５とで上方開口の係合間隙１０Ａを構成する起立状の先部片６ａの先端外側面には下方から前記係合間隙１０Ａ方向に次第に近接して傾斜するテーパー縁ａを設けて、縦枠４側に設けた受止片１３の先部片１３ａが該先部片６ａ（すなわち、施錠片６）に係止し易くしてある。
【００１６】
また、前記縦動材１５は、障子の見込み方向に配した、上側の、縦長の組付孔２４を前記施錠片６の基部から離開させた位置に配し、下側の組付孔２４´を施錠片６の基部位置に配するようにした上下一対の前記組付孔２４，２４´を備え、該組付孔２４，２４´と、該組付孔２４，２４´に対応させ前記装置基枠８の中空主体８Ａ屋内外に相対する部片８Ａ´，８Ａ´´に相設した上下の案内長孔２０，２０´に、戸先框３の中空主体３ａの屋内側部片３ａ´´´に設けた窓孔２５を通じて嵌挿した操作片１９の組付け部片１９ａとねじ３２で互いに接続され、戸先框３の中空主体３ａ前記屋内側部片３ａ´´´に重ね合わせた操作片１０を操作してコイルばね１８の付勢に抗して中空主体３ａ外部から縦動できるようにしてある。
【００１７】
装置基枠８の縦長方形中空主体８Ａの屋内外の部片８Ａ´，８Ａ´´に設けた前記案内長孔２０，２０´は、操作片１９の前記組付部片１９ａの、縦動材１５より突出する部分を係合して縦動材１５の縦動を案内するもので、上側の案内長孔２０の上側の一般の、前記施錠片６側の端縁には、施錠状態時の上側の組付け部片１９ａの縦方向全部（域）と施錠時にのみ障子見付け方向に重なり合う切欠２６を設けてある。
【００１８】
前記受止片１３は、障子閉塞時に戸先框３の前記外ひれ部片３ｃ，３ｃが係合する係合溝を構成する屋内外の部片４ａ，４ａ間に介在する戸当り１２に装置したもので、取付部片１３ｂに施錠片６のＬ字形と逆Ｌ時形にして突設し、取付部片１３ｂを前記戸当り１２にボルト９Ａ締めしたもので、先部片１３ａが、障子ｄ（戸先框３）側に設けた施錠片６の先部片６ａと障子閉塞時に衝接する位置にして相対設し、先部片１３ａと取付片１３ｂとの間には施錠片６側の先部片６ａが係合する係合間隙１３Ａを設けたものである。
【００１９】
しかして、障子ｄを閉塞方向、すなわち、戸先框３を戸当り１２方向に移動させると、戸先框３側に装置した施錠片６の先部片６ａが戸当り１２側に設けた受止片１３の先部片１３ａに接触し（このとき、戸先框３側の、屋内外の外ひれ部片３ｃ，３ｃは縦枠４側の部片４ａ，４ａ間に係合されている）、障子ｄ（戸先框３）の閉塞方向への移動を更に継続すると、受止片１３の先部片１３ａを施錠片６の先部片６ａが尚一層押圧するため、施錠片６側の先部片６ａのテーパ縁ａは、コイルばね１８の付勢に抗して降下、すなわち、縦動材１５と一体にした施錠片６はコイルばね１８の付勢に抗して降下し、該先部片６ａが受止片１３の先部片１３ａより外れる位置まで降下し、この降下中、戸先框３（障子ｄ）は戸当り１２（縦枠４）方向に移動しているため、先部片６ａ，１３ａ同士が互いに外れると同時に、前記移動により、施錠片６（の先部片６ａ）が受止片１３の先部片１３ａの内（裏）側に前記コイルばね１８の付勢により係合して（先部片１３ａが係合間隙１０Ａに、先部片６ａが係合間隙１３Ａにそれぞれ係合して）施錠状態を得られる。
【００２０】
この施錠状態時に、戸先框３と縦枠４との間にバールを差し込んでこじ開けようとすると、施錠片６と受止片１３は相互の係止関係のままの状態で前記こじ開けようとする外力が負荷されることになり、その外力は係止関係にある施錠片６と受止片１３の最も弱い個所である、操作片１９の組付け部片１９ａ，１９ａ´を嵌挿した組付孔２４，２４´に集中し、殊に、受止片１３と係止した施錠片６の基部から離開した上側の組付孔２４に集中し、この結果、施錠片６を設けた縦動材１５は施錠片６が受止片１３から離脱する前に当該組付孔２４部が最も変形量の大きな個所として変形して受止片１３側に施錠片６を基点として引張られることにある。そのため、組付孔２４に嵌挿した組付け部片１９ａは相対的に案内長孔２０に設けた切欠２６側に移動し、これに係止し（上下方向に）、係止することにより縦動材１５の降下が規制され、施錠片６と受止片１３の係止状態が維持され、防犯効果を発揮するのである。
【００２１】
なお、実施例の場合は、上側の組付孔２４にのみ切欠２７を設けてあるが、下側の組付孔２４´側にも切欠２６を設けて組付部片１９ａ´が嵌入（係止）するようにしても良いが、その嵌入（係止）状態を得るには、実施例の上側の組付孔２４のように当該切欠を設ける下側の組付孔２４を施錠片６の基部より、より離開させるべきである。
【００２２】
施錠状態から開放するには、操作片１９によってコイルばね１８に抗して縦動材１５を押し下げて、施錠片６を受止片１３との係止位置から下方に移動させ、該移動状態つまり前記の押し下げ状態を保持したまま、戸先框３（障子ｄ）を戸当り１２（縦枠４）位置から後退させることによって行われ、適宜の後退位置で操作片１９から指先を離すと、コイルばね１８の付勢によって施錠片６は原位置に復帰し、再び、同様の操作を繰り返すことによって障子閉塞、施錠状態を得ることができるのである。
【００２３】
因みに、実施例において縦枠４側の受止片１３の先部片１３ａを下向きに、戸先框３側の施錠片６の先部片６ａを上向きにそれぞれ配してあるが、つまり、定置側（縦枠４側）のＬ字形体（実施例では受止片１３）を下向きに、移動側（戸先框３側）のＬ字形体（実施例では施錠片６）を上向きにして配してあるが、これは、戸先框３側である障子ｄを上昇（けんどん式に）させてもＬ字形体同士、実施例でいえば施錠片６と受止片１３の互いの係止関係が解放できないようにするためで、受止片と施錠片をこのような係止関係にすることによって尚一層の防犯機能を期待することができる。
【００２４】
図４で示す第二実施例は、図１乃至図３で示す前記第一実施例のものがコイルばね１８を用いて前記の通り、施錠操作が自動的に行われるようにしたものであるに対し、縦動材１５に設けた横穴２７にばね１８Ａで突出方向に付勢させた係止球２８を出没自在に装置し、前記操作片１９によって縦動材１５を上昇させて施錠状態（施錠片６が受止片１３に係止した状態）にしたとき、該係止球２８が係止する受止孔２９を前記装置基枠８に設けたもので、解錠時には、操作片１９の操作によって縦動材１５を降下させることにより係止球２８を受止孔２９より離脱させるようにしたもので、残余の点は、第一実施例と同様なので説明を省略する。
【図面の簡単な説明】
【００２５】
【図１】要部の縦断面図。
【図２】図１のｘ−ｘ線断面図。
【図３】施錠片の受止片からの離脱を規制する状態の断面図。
【図４】第二実施例の要部の縦断面図。
【図５】引違いサッシの略示正面図。
【符号の説明】
【００２６】
３          戸先框
３ａ´´´  屋内側部片
６          施錠片
８          装置基枠
１２        戸当り
１３        受止片
１５        縦動材
１９        操作片
１９ａ      組付け部片
２０        案内長孔
２４        組付孔
２５        窓孔
２６        切欠
【図１】
2006336209.tif 000003
【図２】
2006336209.tif 000004
【図３】
2006336209.tif 000005
【図４】
2006336209.tif 000006
【図５】
2006336209.tif 000007